(57)【要約】 【課題】  本発明にて解決しようとしている問題点は、生体情報を利用して個人認識を行なう手段を具備した映像記録・再生装置において、使用する人によって閲覧できるビデオカメラ映像のＣＨが換えられ、ＴＶモニタ画面に管理者が意図しない映像情報を閲覧させないようにすることである。【解決手段】  上記課題を達成するために、本発明の映像記録・再生装置おいては、２台以上のビデオカメラから出力される映像情報を入力する入力端子を具備し、本体内部のハードディスクドライブ（以下、ＨＤＤと称す）に２台以上のビデオカメラ映像情報を同時に記録・再生する手段と、本体の外部に設けられたＴＶモニタの同一画面上に前記映像情報を多分割の映像に画面合成して表示する手段を具備する。【選択図】  図１
2008017080.tif 000002
【特許請求の範囲】
【請求項１】
複数のビデオカメラから入力された映像情報を記録媒体へ記録する記録手段と、前記ビデオカメラから入力された映像情報及びまたは前記記録手段から読み出した複数の映像情報を所定の分割数に多分割した一画面として合成して出力する分割画面合成手段とを備えた映像記録再生装置において、
操作者の生体情報を検出する生体情報検出手段と、生体情報毎に読み出す映像情報を指定した個人認識情報を記憶する個人認識情報用記憶手段と、新たに前記生体情報検出手段にて検出された生体情報と前記個人認識情報用記憶手段に記憶してある個人認識情報とを比較して操作者を認識し認識された操作者の個人認識情報を元に指定されている映像情報を抽出する映像情報抽出手段とを備え、
新たに前記生体情報検出手段にて生体情報を検出した場合、認識された操作者に対応した映像情報を映像情報読み出し手段により読み出し、読み出した映像情報を前記分割画面合成手段で合成して出力することを特徴とする映像記録再生装置。
【請求項２】
請求項１記載の映像記録再生装置において、前記個人認識用情報には本装置の操作許可項目情報を含み、新たに検出した生体情報を検出した場合、検出した生体情報毎に指定された操作が許可されることを特徴とする映像記録再生装置。
【発明の詳細な説明】
【技術分野】
【０００１】
本発明は、映像記録再生装置に係る。
【背景技術】
【０００２】
本技術分野の背景技術として、例えば、特開平１０−２１１１９１号公報（特許文献１）がある。該公報においては、課題として、「記録再生装置および記録媒体に対して絶対的な所有権を確立し、著作権やプライバシー等を保護可能な、生体情報を使用する記録再生装置及び記録再生方法を提供すること。」と記載され、解決手段として、「指認証装置１０１は、その検出部により検出された生体情報と個人認識情報用メモリ１０２に記憶されている生体情報との照合を行い、被認証者の個人認識動作を行う。個人認識をパスすると、ＣＰＵ１０３は、記録再生装置の動作を許可し、カセットテープをローディングさせるモータ１０９やカセットをイジェクトさせるモータ１０７，テープ駆動を行うモータ１１１，１１３を動作可能な状態とする。一方、個人認証をパスしなかった場合、ＣＰＵ１０３は、記録再生装置の動作を許可せず、一切のモータ駆動を停止する。」と記載されている。
【０００３】
【特許文献１】特開平１０−２１１１９１号公報
【発明の開示】
【発明が解決しようとする課題】
【０００４】
近年、公共施設及び商業施設にて映像監視用のビデオカメラと、その映像情報の記録再生装置の導入が進んできており、１台の映像記録再生装置に２台以上のビデオカメラを接続して、各ビデオカメラの映像情報を同時に記録し、さらにそれらの映像情報を１つのＴＶモニタ画面上に４分割画面またはそれ以上の多分割画面にて同時に表示するようになってきている。
【０００５】
また、映像記録再生装置を経由する映像情報のセキュリティーを確保する目的で、あらかじめパスワードを決めて限られた利用操作者のみに装置の操作権限与え、装置の操作を制限する手法が考えられてきた。さらに、上記特開平１０−２１１１９１号公報（特許文献１）に示される技術のように、パスワードを使用せずに人の生体情報を利用して装置の操作を制限する手法が発達してきている。
【０００６】
ところで、２台以上のビデオカメラを接続し、複数の撮影箇所の映像情報を同時に記録及び再生を行う映像監視用途の映像記録再生装置において、管理者以外の生体情報の登録者には一部の撮影場所は閲覧可能または閲覧不可としたい場合がある。すなわち、生体情報の登録者でも、セキュリティー上管理者、社員、アルバイト等の操作者のランクにより閲覧を許可する撮影箇所の映像と、意図して閲覧させたくない撮像個所の映像を指定したい場合がある。
【０００７】
しかしながら、上記特許文献１に記載の従来技術では、生体情報を登録してある管理者は装置を動作可能とすることにより、記録または再生の動作を実行し、結果としてＴＶモニタ画面に記録媒体に記録してある映像情報を表示させ閲覧することができるが、操作者のランクにより閲覧できる撮影箇所の映像を指定できないという問題があった。
【０００８】
本発明の目的は、複数のビデオカメラからの映像情報を記録または再生できる映像記録再生装置において、操作者のランク毎に閲覧可能な撮影箇所の映像情報を指定することにより、映像情報のセキュリティーが向上できる映像記録再生装置を提供することにある。
【課題を解決するための手段】
【０００９】
上記の目的を達成するために、本発明のある一面の概要は、複数のビデオカメラからの映像情報を記録または再生できる映像記録再生装置において、操作者のランク毎に閲覧可能な撮影箇所の映像情報を指定することを特徴とする。
【００１０】
本発明は、特許請求の範囲に記載のとおりである。
【発明の効果】
【００１１】
本発明によれば、映像情報のセキュリティーが向上できる。
【００１２】
上記以外の課題、構成および効果は、以下の実施形態の説明により明らかにされる。
【発明を実施するための最良の形態】
【００１３】
本発明の実施形態は、複数のビデオカメラからの映像情報を記録または再生できる映像監視用途の映像記録再生装置において、本装置の設置後は常時通電して複数のビデオカメラからの映像情報を連続記録して稼動し、記録手段としてＨＤＤ（ハードディスクドライブ）を具備し、生体情報を検出するための生体情報検出手段として指認識検出器を具備したものとして以下に実施例を、図面を用いて説明する。尚、本実施例は接続するビデオカメラが９台の場合で説明する。
【実施例１】
【００１４】
本発明による映像監視用途の映像記録再生装置の構成及び動作を、図１を用いて説明する。図１は、本発明による映像記録再生装置の構成を示すブロック図である。
【００１５】
図１において、バスライン１１６に接続されたＣＰＵ（Ｃｅｎｔｒａｌ  Ｐｒｏｃｅｓｓｉｎｇ  Ｕｎｉｔ）１０５がバスライン１１６を介し、バスライン１６に接続されるＡ／Ｄ変換器（１０４１〜１０４９）と、ＲＡＭ（Ｒａｎｄｏｍ  Ａｃｃｅｓｓ  Ｍｅｍｏｒｙ））１０７と、記録手段であるＨＤＤ記録装置１０９と、画像圧縮伸張回路１１０と、分割画面合成手段である分割画面合成回路１１１とＤ／Ａ変換器１１２を制御することにより、映像の記録および再生が行われるものである。
【００１６】
ＣＰＵ１０５の制御プログラムはバスライン１１６に接続されたＲＯＭ（Ｒｅａｄ  Ｏｎｌｙ  Ｍｅｍｏｒｙ）１０６に格納されており、ＣＰＵ１０５はＲＯＭ１０６に格納されている制御プログラムに従い動作する。
【００１７】
バスライン１１６には操作者の生体情報を検出する生体情報検出手段である指認識検出器１０１と、生体情報毎に読み出す映像情報を指定した個人認識情報を記憶する個人認識用情報記憶手段である個人認識情報用メモリ１０２が接続されており、また、ＲＯＭ１０６にはＣＰＵ１０５が指認識検出器１０１と個人認識情報メモリ１０２を制御して、新たに指認識検出器１０６にて検出された生体情報と前記個人認識情報用メモリ１０２に記憶してある個人認識情報とを比較して操作者を認識し、認識された操作者の個人認識情報を元に指定されている映像情報を抽出する映像情報抽出手段として動作するための制御プログラムを格納している。
【００１８】
ほかにバスライン１１６には操作スイッチ１０８と本装置の動作状態を表示や音で確認するためにＬＥＤ１１４およびブザー１１５が接続されている。操作スイッチ１０８は、生体情報の読み取りを開始するキーと操作者のユーザーランク毎に対応した映像情報を抽出して閲覧可能としたビデオカメラＣＨの映像情報や操作制限等の個人認識情報の登録と削除を開始するキーと、映像記録開始キーと再生開始キーと記録・再生停止キーと個人認識情報の登録と削除を行うキーと、英数字文字を選択するキーと、選択した英数字文字を決定する決定キーとＴＶ画面上に表示された項目を移動し選択項目を変更する矢印キーと本装置の操作を終了させるための終了キー等で構成された操作キー集合体の総称である。また、操作スイッチは利便性良く操作するために本装置の正面側に配置されている。
【００１９】
Ａ／Ｄ変換器１０４１〜１０４９は、ビデオカメラ１０３１〜１０３９の１台目から９台目までに対し独立して１系統ずつ設けてあり、各々バスライン１１６に接続されている。
【００２０】
ビデオカメラ１０３１〜１０３９とＴＶモニタ１１３は本装置の外部に接続された機器であり、本装置の構成を示すものではないが、本装置への映像信号の入力および本装置から出力した映像の表示を行うものである。ビデオカメラ１０３１〜１０３９は固体撮像素子を使用した映像撮像装置であり、撮像した映像情報をアナログ信号として本装置のＡ／Ｄ変換器１０４１〜１０４９に入力する。また、ＴＶモニタ１１３は映像情報を表示する機器であり、本装置のＤ／Ａ変換機１１２から出力された映像信号を入力し表示画面に映像を表示する。尚、本実施例では、ビデオカメラ１０３１〜１０３９が本装置に１台目から９台目まで接続して使用する例にて説明するが、接続できるのビデオカメラの数はこれに限るものではない。
【００２１】
指認識検出器１０１は、たとえば指を指認識検出器１０１の検出部に近づけて、あるいは接触させることにより静脈形状または指紋形状を読み取りデジタルの信号で生体情報を出力する。また、指認識検出器１０１部分は、利便性を向上するために本体から分離して外部に配置しても良い。さらに、指認識検出器１０１部分は指の生体情報を検出する手段であるが、他の生体部分の認証手段に置き換えても良い。
【００２２】
ここで、管理者の操作による個人認識情報の登録動作について説明する。
【００２３】
本実施例の映像記録再生装置は、設置後の電源投入時又は操作終了後は必ずユーザーランクが一番低い場合の分割表示数となるようにしており、まず、ＣＰＵ１０５の制御によりビデオカメラ（１ＣＨ〜４ＣＨ）１０３１〜１９３４の４つのビデオカメラＣＨの映像情報を抽出して分割画面合成回路１１１で４分割画面を生成し、ＴＶモニタ１１３に表示している。その後、個人認識情報を登録する場合は、操作スイッチ１０８にて個人認識情報の登録と削除の動作を開始し、先ず管理者の生体情報を指認識検出器１０１により読み取り、本装置に管理者であることを認識した後にＣＰＵ１０５の制御により分割画面合成回路１１１でユーザー登録画面を生成しＴＶモニタ１１３上にユーザー登録画面を表示させる。ここで、登録する操作者の生体情報を指認識検出器１０１により読み取り、ユーザー番号を自動的に付与し、操作スイッチ１０８にてユーザー名と操作を許可したユーザークラスとビデオカメラ（１ＣＨ〜９ＣＨ）１０３１〜１０３９またはＨＤＤ記録装置１０９の映像情報を抽出し閲覧を許可する許可カメラＣＨとＴＶモニタ１１３に分割表示する画面分割表示数とを入力する。ユーザー登録画面の表示内容を入力後は操作スイッチ１０８の個人認識情報の登録キーを入力することにより新規に作成されたとして生体情報と対応させて個人認識情報として個人認識情報用メモリ１０２の所定の領域に記憶する。同様に、個人認識情報を削除する場合は、操作スイッチ１０８にて個人認識情報の登録と削除の動作を開始し、管理者が指認識検出器１０１により管理者の生体情報を読み取り管理者であることを認識させた後に該当する個人認識情報を個人認識情報用メモリ１０２から削除することにより完了する
尚、最初に本装置を設置した場合は先ず管理者の個人認証情報を登録する。また、管理者の個人認証情報の登録の場合は、ユーザークラスと許可カメラＣＨと画面分割表示数は全て許可する内容であるユーザークラスは「Ａ」とし、許可カメラＣＨは１ＣＨから９ＣＨまで全ての閲覧を許可し、画面分割表示数は最大の９分割画面として自動的にあらかじめ表示する。
【００２４】
次に、ビデオカメラ（１ＣＨ〜９ＣＨ）１０３１〜１０３９から出力されるアナログの信号がＡ／Ｄ変換されてＨＤＤ記録装置１０９に記録するまでの流れを説明する。
【００２５】
ビデオカメラ（１ＣＨ）１０３１から出力されたアナログ映像情報はＡ／Ｄ変換器（１ＣＨ）１０４１によりデジタル映像情報に変換された後にバスライン１１６を経由してＲＡＭ１０７の所定の領域へ一時保存される。次に再度バスライン１１６を経由して画像圧縮伸張回路１１０によりデジタル映像情報をＪＰＥＧ（Ｊｏｉｎｔ  Ｐｈｏｔｏｇｒａｐｈｉｃ  Ｅｘｐｅｒｔｓ  Ｇｒｏｕｐ）方式にて圧縮した後に、圧縮したデジタルデータの先頭に記録時の時刻情報とビデオカメラＣＨ情報を付加した後にバスライン１１６を経由してＨＤＤ記録装置１０９の所定の領域へ記録する。
【００２６】
また、圧縮方式部分についてはＭＰＥＧ（Ｍｏｖｉｎｇ  Ｐｉｃｔｕｒｅ  Ｅｘｐｅｒｔｓ  Ｇｒｏｕｐ）方式でもかまわない。
【００２７】
本装置に接続されている他の２台目以降のビデオカメラ（２ＣＨ〜９ＣＨ）１０３２〜１０３９の映像情報も順に、アナログ映像情報をＡ／Ｄ変換器１０４２〜１０４９によりデジタル映像情報に変換された後にバスライン１１６を経由してＲＡＭ１０７の各々所定の領域へ一時保存された後に、順に画像圧縮伸張回路１１０にて情報サイズを圧縮した後、各々の圧縮したデジタルデータの先頭に記録時の時刻情報とビデオカメラＣＨ情報を付加しＨＤＤ記録装置１０９へ記録が行われる。ここで、ＭＰＥＧ方式圧縮の場合は可能な限り短い映像単位に区切った映像情報にて記録するものとする。尚、本実施例では画像圧縮伸張回路１１０は１つであるためデジタル映像情報の圧縮は、ビデオカメラＣＨ毎の映像情報を順に圧縮して処理している。ここで、画像圧縮伸張回路１１０を複数配置して、各ビデオカメラＣＨ毎のデジタル映像情報を分散して圧縮処理しても良い。
【００２８】
さらに、管理者の操作によるビデオカメラからの映像情報の記録動作について説明する。操作スイッチ１０８にて個人認識情報の登録と削除の動作を開始し、ＴＶモニタ１１３上にユーザー登録画面を表示させ、操作者の生体情報を指認識検出器１０１により読み取り、検出した生体情報と個人認識情報用メモリ１０２に記録されている複数の個人認識情報に含まれる生体情報とを比較して、互いが一致することにより本装置に登録されているユーザーである事を認識した後、該当する個人認識情報に含まれるユーザークラスによりあらかじめ決められた操作項目の操作を受け付ける。本実施例では管理者のユーザークラスは「Ａ」とし、本装置の記録開始及び停止の操作を可能としている。操作スイッチ１０８にて記録開始を操作入力することによりビデオカメラから出力されるアナログの信号がＡ／Ｄ変換されてＨＤＤ記録装置１０９に記録されるまでの記録動作を開始する。また、同様に操作スイッチ１０８にて記録停止を操作入力することにより記録動作が停止する。  本実施例では映像監視用途であり映像記録に抜けの無い様にするため、接続されているビデオカメラの映像情報は個人認識情報の内容に係らず記録時は全ＣＨのビデオカメラ映像情報をＨＤＤ記録装置１０９に記録している。ここで、操作者が管理者以外のユーザーの場合は、該当する個人認識情報に含まれるユーザークラスが「Ａ」である場合のみ本装置の記録開始又は停止操作を行うことが可能であり、ユーザークラスが「Ａ」または「Ｂ」以外の操作者では記録開始又は停止操作を受け付けないようになっている。
【００２９】
次に、記録動作しながらスルー画を表示させる動作について説明する。ＲＡＭ１０７から全ＣＨのビデオカメラのデジタル映像情報をバスライン１１６を経由して画像圧縮伸張回路１１０を経由してＨＤＤ記録装置１０９に記録するのと同時に、平行してＣＰＵ１０５の制御によりＲＡＭ１０７からバスライン１１６を経由して操作者の個人認識情報を元に閲覧を許可されたビデオカメラＣＨのデジタル映像情報を抽出し、分割画面合成回路１１１により、予め設定されている所定の分割数に多分割した一画面として合成し、Ｄ／Ａ変換器１１２でアナログ映像情報として出力し、ＴＶモニタ１１３に表示することによりリアルタイムなスルー画を表示する。これによりＨＤＤ記録装置１０９へ記録しながらスルー画を表示することが可能となる。
【００３０】
また、後に説明する図６のステップ６１０にて説明する４分割画面の初期画面とはユーザーラングが一番低い表示状態であり、ビデオカメラ１ＣＨと２ＣＨと３ＣＨと４ＣＨの４つのビデオカメラＣＨの映像情報を抽出して画像圧縮伸張回路１１０にて伸長して４分割画面で表示したものである。
【００３１】
ここで、操作者が管理者の場合は、カメラ許可ＣＨは１ＣＨから９ＣＨまで全て、画面分割表示数を９分割画面となっているため、分割画面合成回路１１１にて１ＣＨから９ＣＨまでのビデオカメラの映像情報が９分割画面でＴＶモニタ１１３に表示される。また、操作者が管理者以外の場合は、該当する個人認識情報に含まれるカメラ許可ＣＨが、例えば１ＣＨと２ＣＨと３ＣＨと４ＣＨでかつ分割表示画面数が４分割表示である場合、１ＣＨと２ＣＨと３ＣＨと４ＣＨのデジタル映像情報のみをＲＡＭ１０７からバスライン１１６を経由して抽出し分割画面合成回路１１１にて４分割画面を一画面として合成し、Ｄ／Ａ変換器１１２でアナログ映像情報として出力することにより１ＣＨと２ＣＨと３ＣＨと４ＣＨの映像情報のみを閲覧することが可能となっており、映像情報のセキュリティーが確保できる。
【００３２】
再生時の動作について説明する。操作スイッチ１０８にて生体情報の読み取りを開始して操作者の生体情報を指認識検出器１０１により読み取り、検出した生体情報と個人認識情報用メモリ１０２に記録されている複数の個人認識情報に含まれる生体情報とを比較して、互いが一致することにより本装置に登録されているユーザーである事を認識した後、該当する個人認識情報に含まれるユーザークラスにより機器の操作項目の操作を受け付ける。本実施例ではユーザークラス「Ａ」及び「Ｂ」及び「Ｃ」に本装置の再生開始及び停止の操作を許可している。操作者の認識後、再生の操作は操作スイッチ１０８を操作すると、ＨＤＤ記録装置１０９に記録された映像情報に付加されている時刻情報とビデオカメラＣＨ情報を手がかりにして個人認証情報のカメラ許可ＣＨにより許可されたカメラＣＨのデジタル映像情報のみをＨＤＤ記録装置１０９から圧縮された映像情報を読み出し（抽出）、画像圧縮伸張回路１１０により圧縮前と同等のデジタル映像情報に伸張した後に、ＲＡＭ１０７の所定の領域へ一時保存する。ＲＡＭ１０７の所定の領域へ一時保存されたデジタル映像情報は、バスライン１１６を経由して分割画面合成回路１１１により、予め設定されている所定の分割数に多分割した一画面として合成し、Ｄ／Ａ変換器１１２でアナログ映像情報として出力し、ＴＶモニタ１１３に再生画を表示する。ここでは、ユーザー毎に個人認識情報の登録時に設定されたカメラ許可ＣＨの映像情報のみしか閲覧できないようになっており、映像情報のセキュリティーが確保できる。
【００３３】
ここで、管理者のカメラ許可ＣＨは１ＣＨから９ＣＨまで全てとし、画面分割表示数を９分割画面とするため、分割画面合成回路１１１にて１ＣＨから９ＣＨまでのビデオカメラ映像が９分割画面でＴＶモニタ１１３に表示される。操作者が管理者以外の場合は、該当する個人認識情報に含まれるカメラ許可ＣＨが例えば１ＣＨとＣＨと３ＣＨと４ＣＨでかつ分割表示画面数が４分割表示である場合、１ＣＨと２ＣＨと３ＣＨと４ＣＨの映像情報をＨＤＤ記録装置１０９から読み出し（抽出）、画像圧縮伸張回路１１０により伸長した後、分割画面合成回２路１１１にて４分割画面して一画面として合成し、Ｄ／Ａ変換器１１２でアナログ映像情報として出力することにより１ＣＨと２ＣＨと３ＣＨと４ＣＨの映像情報の閲覧することが可能となる。
【００３４】
図１０は記録映像を再生する場合の再生時刻検索の画面構成を示した図である。表示カメラＣＨ１００１は個人認識情報のカメラ許可ＣＨ内容を自動的に表示し操作者に閲覧できるカメラＣＨをあらかじめ知らせる。操作者は操作スイッチ１０８を操作して記録した映像情報の中から再生を開始したい再生開始時刻１００２を入力し再生を行う。
【００３５】
次に、個人認識情報について、図２及び図３を用いて詳細に説明する。図２は、本発明による個人認識情報用メモリ１０２へ記憶する個人認識情報の項目内容を示した図である。
【００３６】
ユーザー番号２０１は、記憶する生体情報を一貫して識別するためのものであり、数値番号が登録時に順次自動的に付加される。ユーザー名２０２は、記憶する生体情報を名称にて識別するためのものであり、操作スイッチ１０８から任意の文字列にて入力する。ユーザークラス２０３は、記憶する生体情報にランク分した定義を付けるものであり、操作スイッチ１０８により予め設定されているＡ、Ｂ、Ｃのランクから選択する。許可カメラＣＨ２０４は、生体情報毎に閲覧を許可するビデオカメラのＣＨを定義付けるものであり、操作スイッチ１０８により閲覧を許可する許可カメラＣＨを選択する。画面分割表示数２０５は、閲覧許可されたビデオカメラの映像を一画面で表示する分割表示数であり、ここでは、許可カメラＣＨ２０４で選択したＣＨ数に合わせて４分割画面または９分割画面のいずれかに自動で選択される。また本実施例ではカメラＣＨ２０４で選択したＣＨ数が４つであれば４画面分割表示とし、４つ以上である場合は９画面分割表示が選択される。生体情報２０６は生体情報を指認識検出器１０１により読み取り検出した生体情報である。
【００３７】
ここで例えば、ユーザー番号「００１」にはユーザー名「ＵＳＥＲ１」、ユーザークラス「Ａ」、許可カメラＣＨ「１〜９ＣＨ」、画面分割表示数「９」が生体情報「Ｓ１」とともに登録されている。
【００３８】
ユーザークラスについて、図３を用いてさらに説明する。図３は、本発明によるユーザークラスの重み付けに関する本装置の操作項目を割りあてた例を示した図である。あらかじめ、ユーザークラスをＡ、Ｂ、Ｃとしてランク付けを予め設定してあり、各々のランクに対して本装置の操作許可項目３０１を対応させた情報を個人認識情報用メモリ１０２の所定の場所に記憶している。ユーザークラス「Ａ」は管理者に該当し「指認証用の個人認識情報の登録と削除操作」、「映像記録の開始及び停止操作」、「許可カメラＣＨの映像再生操作」の全てを許可し、ユーザークラス「Ｂ」は社員に該当し「映像記録の開始及び停止操作」、「許可カメラＣＨの映像再生操作」を許可し、ユーザークラス「Ｃ」はアルバイト員に該当し「許可カメラＣＨの映像再生操作」を許可するものとしている。
【００３９】
管理者が行う個人認識情報の登録及び削除時及び定常の運用状態の処理の流れについて、図４と図６を用いて説明する。図４は、本発明による個人認識するための個人認識情報の登録及び削除を管理するための処理を示すフローチャート図、図６は本発明による映像記録再生装置の定常の運用状態の処理の流れのフローチャート図である。
【００４０】
本装置を設置時最初に電源を投入した場合は、管理者であるクラス「Ａ」の登録有無を確認するためにステップ４００ａにて個人認識情報を個人認識情報用メモリ１０２から読み出し、ステップ４００ｂにて管理者であるクラス「Ａ」の登録有無を判別する。
【００４１】
ステップ４００ｂにてクラス「Ａ」の登録情報が無い場合はステップ４０８に進み、ステップ４０８にてユーザー登録画面を表示後登録する指の生体情報を指認識検出器１０１で検出し、ステップ４０９にて検出した生体情報に自動的にユーザー番号が新たに一貫番号で付与される。次に、操作スイッチ１０８の操作により検出した生体情報にステップ４１０にてユーザー名の入力、ステップ４１１にてユーザークラスの選択、ここではクラスＡにあらかじめ選択され固定される。ステップ４１２にて許可カメラＣＨの選択、ここでは全てのカメラＣＨが選択され固定される。ステップ４１３にて分割画面表示数の選択、ここでは９画面分割が選択され固定される。その後に、個人認識情報用メモリ１０２に上記の新たに作成された個人認識情報を記憶する前に、ステップ４１４にて再度操作スイッチ１０８の操作による登録者の判断を入力し、登録了解の場合はステップ４１５にて個人認識情報用メモリ１０２に新たに作成された個人認識情報を記憶し登録処理の終了となり、図６のステップ６１０に進み４分割画面の初期画面となった後は、ステップ６００にて本装置操作開始のための操作スイッチ１０８からの入力待機（定常の運用状態）となる。
【００４２】
ステップ４００ｂにて個人認識情報にクラス「Ａ」の登録情報がある場合にはステップ６１０に進み４分割画面の初期画面となり、ステップ６００にて操作者が本装置操作開始するため操作スイッチ１０８からの入力待機（定常の運用状態）となる。
【００４３】
管理者又は操作者が本装置を操作する場合、先ずステップ６００の定常の運用状態にて操作スイッチ１０８の入力により指認識検出を開始し、本装置に個人認識情報が登録されているかどうかを判別するためにステップ６０１にて指認識検出を行い生体情報を検出する。ステップ６０２にて個人認識情報にある生体情報と比較して個人認識を行い登録されているユーザーであることが認識された場合ステップ６０３に移行する。ステップ６０２にて個人認識情報に登録が無いと認識された場合はステップ６１０に移行し、４分割画面の４分割画面の初期画面となり、再び操作者の操作開始を待つ状態とする。
【００４４】
ステップ６０３にて個人認識情報用メモリ１０２から該当の個人認証識情報を読み出し、ステップ６０４にて個人認証識情報の中からユーザークラスと閲覧を許可カメラＣＨと画面分割表示数を抽出する。ステップ６０５にて個人認証識情報から抽出した画面分割表示数に切り替えるとともに許可されたカメラＣＨの映像情報を抽出して一画面に合成しスルー画面として表示する。次にステップ６１１にてユーザークラスにより許可された操作項目の実施を操作スイッチ１０８の入力により受け付ける状態となり、許可されていない操作項目は操作受け付けない。ここでユーザークラス「Ａ」の管理者により個人認識情報の登録と削除を行う場合はステップ６０６にて個人認識情報の登録と削除を行う。ユーザークラス「Ａ」または「Ｂ」により映像記録の開始及び停止を行う場合はステップ６０７にて映像記録の開始及び停止を行う。ユーザークラス「Ａ」または「Ｂ」または「Ｃ」により許可カメラＣＨの記録映像再生を行う場合はステップ６０８にて許可カメラＣＨの記録映像再生を行う。ステップ６０９はステップ６０６から６０８の操作に対して常に割り込みの処理をしており、操作者が本装置から離れる場合に操作終了キーを押す事により操作中の動作を強制的に終了させることができる。操作終了キーを押した場合はステップ６１０に進み４分割画面の初期画面となる。
【００４５】
ステップ６０６にて個人認識情報の登録と削除操作のモードに移行すると、図４のステップ４０１となる。し、ステップ４０１にて先ずセキュリティー上、登録操作を許可されている操作者がどうかを判別するため、再度指認識検出を行い生体情報を検出する。ステップ４０２にて個人認識情報にある生体情報と比較して個人認識を行い、本装置に登録されているユーザーのうちユーザークラス「Ａ」の者であることを認識した場合は、ステップ４０３にて以降の操作スイッチ１０８からの入力による登録または削除キー操作入力を待つ。このとき個人認識結果がユーザークラス「Ａ」以外の場合は登録処理終了となり、図６のステップ６１０に進み４分割画面の初期画面となる。ステップ４０２にてユーザークラス「Ａ」であることを認識した場合は、ステップ４０３にて操作スイッチ１０８により個人認識情報の登録又は削除を選択入力する。ステップ４０３にて操作スイッチ１０８の操作により個人認識情報の登録を選択した場合、ステップ４０４にて登録を選択したことを判断し、ステップ４０８に移行し登録情報の入力処理に入る。ステップ４０８にてユーザー登録画面を表示後登録する指の生体情報を指認識検出器１０１で検出し、ステップ４０９にて検出した生体情報に自動的にユーザー番号が新たに一貫番号で付与される。次に、操作スイッチ１０８の操作により検出した生体情報にステップ４１０にてユーザー名の入力、ステップ４１１にてユーザークラスの選択、ここではクラスＣにあらかじめ選択されるが操作スイッチ１０８にてクラスＢ又はクラスＡに変更できる。ステップ４１２にて許可カメラＣＨの選択、ステップ４１３にて分割画面表示数の選択する。その後に、個人認識情報用メモリ１０２に上記の新たに作成された個人認識情報を記憶する前に、ステップ４１４にて再度操作スイッチ１０８の操作による登録者の判断を入力し、登録了解の場合はステップ４１５にて個人認識情報用メモリ１０２に新たに作成された個人認識情報を記憶し登録処理の終了となり、図６のステップ６１０にて４分割画面の初期画面となった後は、ステップ６００にて本装置操作開始のための操作スイッチ１０８からの入力待機（定常の運用状態）となる。ステップ４１４にて登録しない場合は新たに作成された個人認識情報を破棄して登録処理の終了となり、ステップ６１０にて４分割画面の初期画面となった後は、ステップ６００にて本装置操作開始のための操作スイッチ１０８からの入力待機（定常の運用状態）となる。
【００４６】
ステップ４０３にて削除を選択した場合は、ステップ４０４にて削除を選択したことを判断し情報削除の処理に入り、ステップ４０５でユーザー登録削除画面を表示する。さらにステップ４０５にて操作スイッチ１０８の操作により削除したいユーザー番号を選択し、ステップ４０６にて再度操作スイッチ１０８の操作により削除了解の操作がされたと判断した場合は、ステップ４０７にて該当の選択したユーザーの個人認識情報を個人認識情報用メモリ１０２から削除して削除処理を終了し、図６のステップ６１０にて４分割画面の初期画面となった後は、ステップ６００にて本装置操作開始のための操作スイッチ１０８からの入力待機（定常の運用状態）となる。ステップ４０６にて削除しないための操作がされたと判断した場合は個人認識情報を削除せずに削除処理を終了し、図６のステップ６１０にて４分割画面の初期画面となった後は、ステップ６００にて本装置操作開始のための操作スイッチ１０８からの入力待機（定常の運用状態）となる。
【００４７】
ステップ４０８にて表示するユーザー登録画面例について図５を用いて説明する。図５は、本発明による個人認識情報の登録を行うユーザー登録画面の例を示した図である。ユーザー番号５０１の表示は一貫番号で自動的に付与され表示される。ユーザー名表示５０２は操作スイッチ１０８の操作により任意の文字列を入力する。ユーザークラス表示５０３は操作スイッチ１０８の操作により画面上の該当ランクを示す枠内にマーキングを付けることにより選択する。許可カメラＣＨ表示５０４及び画面分割表示数表示５０５についても前記同様に画面上の該当する枠内にマーキングを付けることにより選択する。その後、操作スイッチ１０８の所定の操作により登録操作すると上記により入力または選択した情報が、検出した生体情報と対応付けられて個人認識情報用メモリ１０２に記憶される。
【００４８】
ステップ４０５にて表示するユーザー登録削除画面の表示例について図９を用いて説明する。  図９は本発明による個人認識情報の削除時のユーザー登録削除画面を示した図である。ユーザー登録削除画面には登録されている個人認識情報の内ユーザー番号とユーザー名が一覧で表示される。ここで、個人認識情報を削除する場合は画面上の該当するユーザー番号の削除の枠内ユーザ登録削除選択表示９０１にマーキングを付けることにより選択をする。その後、操作スイッチ１０８の所定の操作により削除操作をすると、個人認識情報を個人認識情報用メモリ１０２から削除して削除処理を終了する。
【００４９】
ステップ６０７の映像記録の開始及び停止の操作は、操作スイッチ１０８の所定の操作により記録開始及び停止を行う。映像記録の開始は接続されているカメラ映像全てのＣＨを記録開始する。映像記録の停止は接続されているカメラ映像全てのＣＨを記録停止する。
【００５０】
許可カメラＣＨの記録映像の再生について図１０と図１１を用いて説明する。図１０は本発明による再生操作時の再生時刻検索の画面、図１１は本発明による再生操作時のフローチャートを示した図である。
【００５１】
ステップ１１０１にて図１０に示す再生時刻検索の画面を表示し、許可されたカメラＣＨを表示カメラＣＨ１１０１に表示する。再生を開始したい時刻１００２を入力する。  その後、再生開始キーが入力されるとステップ１１０２にてステップ１１０１で入力した時刻情報と図６のステップ６０４で抽出した許可カメラＣＨに従いＨＤＤ記録装置１０９に記録している圧縮された映像情報に付加されている時刻情報とカメラＣＨが一致した映像情報のみを読み出す。尚、映像情報の読み出しはステップ１１０１にて入力した時刻から以後の映像情報をカメラＣＨ毎に順に読み出す。ここで、５秒前からなどさかのぼってた時刻から読み出しても良い。また、ステップ６０７の映像記録の開始及び停止の操作による映像記録動作中に関係なくＨＤＤ記録装置１０９から映像情報の読み出しを行う。
【００５２】
ステップ１１０３にて読み出した映像情報を伸長し圧縮前の情報サイズに戻し、ステップ１１０４にて図６のステップ６０４で抽出した画面分割表示数に従い１つの画面に分割表示するように映像情報を合成して配置する。ステップ１１０５にてステップ１１０４で合成された映像情報を映像信号に変換して映像信号を出力する。
【００５３】
本発明による分割画面表示の表示例を図７、図８を用いて説明する。図７は本発明による４分割画面表示の例、図８は本発明による９分割画面表示の例である。
【００５４】
操作者がユーザークラスＣの場合は、分割画面合成回路１１１により図７に示すような２×２配置による４分割の分割画面表示７０１を生成し、外部のＴＶモニタ１１３に表示する。また、ユーザークラスＡ及びＢの場合は、図８に示すような３×３配置による映像を９分割の分割画面表示８０１を生成し、外部のＴＶモニタ１１３に表示する。
【００５５】
ここで、スルー画時の画面構成についてさらに説明する。４つの映像情報をＴＶモニタ１１３に図７に示す２×２配置の画面構成に表示する場合は、ビデオカメラ１０３１（１ＣＨ）〜１０３４（４ＣＨ）までの映像情報を各々にＡ／Ｄ変換器１０４１（１ＣＨ）〜１０４４（４ＣＨ）によりデジタル情報に変換した後に、ＲＡＭ１０７を経由して分割画面合成回路１１１に入力し、分割画面合成回路１１１により図１に示す様にビデオカメラ１０３１（１ＣＨ）の映像情報は画面上部左側に、ビデオカメラ１０３２（２ＣＨ）の映像情報は画面上部右側へ、ビデオカメラ１０３３（３ＣＨ）の映像情報は画面下部左側に、ビデオカメラ１０３４（４ＣＨ）の映像情報は画面下部右側へと順に映像情報を配置することにより、ビデオカメラ４台の映像情報を１つの画面に４分割で構成することができる。  同様に９つの映像情報をＴＶモニタ１１３に図８に示す３×３配置の画面構成に表示する場合は、画面上部左側から順次ビデオカメラのＣＨ番号の若い順に配置していく構成とする。  
ここで個人認証情報のカメラ許可ＣＨにより許可されたカメラＣＨのデジタル映像情報のみをＲＡＭ１０７からバスライン１１６を経由して分割画面合成回路１１１にて多分割して一画面として合成し、Ｄ／Ａ変換器１１２でアナログ映像情報として出力することにより映像の閲覧を制限することが可能となる。
【００５６】
以上、本実施例によれば、操作者が操作を行う場合は、先ず指認識検出器にて個人認証を行うため、個人認証された後に装置の操作が可能となり、装置に登録された関係者以外の操作を受け付けることはなく、操作終了後は４分割画面の初期画面の状態に戻るため管理者が意図しない映像情報は表示されない。
【００５７】
ここで、管理者が本装置に接続されているビデオカメラの１ＣＨから９ＣＨのうち、許可されたユーザー以外に閲覧させたくない映像を５ＣＨから９ＣＨまでに接続することにより、装置の利用者が個人認証の後に映像を閲覧しようとした場合、許可カメラＣＨ２０４に許可された該当のカメラＣＨがない利用者には、ＴＶモニタ画面上の分割画面表示数が４分割画面から９分割画面に切り換わることはないため、管理者が上記の意図しない映像は許可されたユーザー以外に表示されることは無いため映像情報のセキュリティーが確保される。
【００５８】
尚、本実施例では分割画面表示数は、操作スイッチ１０８を使用させて選択させるようにしたが、選択した許可カメラＣＨの数から自動的に分割表示数を算出するようにしても構わない。また、画面分割表示数より許可カメラＣＨ数が少ない場合、許可カメラの映像情報がない部分には分割画面合成回路１１１にて合成するデータは無いことより黒画面又はブルーバック画面として表示するようにしてもよい。
【００５９】
本実施例では、接続するビデオカメラを９台として説明したが、接続する台数はこれに限ったものではない。例えば、１６台でも構わない。また、閲覧させたくないビデオカメラの映像情報を５ＣＨから９ＣＨまでとしたが、他のＣＨでも構わない。
【００６０】
本実施例では、ユーザークラスは３つの場合で説明したが、クラスはいくつであっても構わない。さらに、ユーザークラスと操作許可項目は予め設定済として説明したが、管理者は操作スイッチ１０８使用して設定しても構わない。
【００６１】
さらに、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【図面の簡単な説明】
【００６２】
【図１】本発明による映像記録再生装置の構成を示すブロック図
【図２】本発明による個人認識情報用メモリへ記録する個人認識用情報の項目内容を示した図
【図３】本発明によるユーザークラスの重み付けに関する機器の操作項目を割りあてた例を示した図
【図４】本発明による個人認識するための個人認識用情報の登録及び削除削除時の処理の流れを示すフローチャート図
【図５】本発明による個人認識用情報の登録を行うユーザー登録画面の例を示した図
【図６】本発明による映像記録再生装置の定常の運用状態の処理の流れのフローチャート図
【図７】本発明による４分割画面表示の図
【図８】本発明による９分割画面表示の図
【図９】本発明による個人認識情報の削除時のユーザー登録削除画面の例
【図１０】本発明による再生操作時の再生刻検索の画面
【図１１】本発明による再生操作時のフローチャート
【符号の説明】
【００６３】
１０１…指認識検出器、１０２…個人認識情報用メモリ、
１０３１〜１０３９…ビデオカメラ（１ＣＨ〜９ＣＨ）、
１０４１〜１０４９…Ａ／Ｄ変換器（１ＣＨ〜９ＣＨ）、１０５…ＣＰＵ、
１０６…ＲＯＭ、１０７…ＲＡＭ、１０８…操作スイッチ、
１０９…ＨＤＤ（ハードディスクドライブ）記録装置、１１０…画像圧縮伸張回路、
１１１…分割画面合成回路、１１２…Ｄ／Ａ変換器、１１３…ＴＶモニタ、
１１４…ＬＥＤ、１１５…ブザー、１１６…バスライン、２０１…ユーザー番号、
２０２…ユーザー名、２０３…ユーザークラス、２０４…許可カメラＣＨ、
２０５…画面分割表示数、２０６…生体情報、３０１…操作許可項目、
５０１…ユーザー番号表示、５０２…ユーザー名表示、５０３…ユーザークラス表示、
５０４…許可カメラＣＨ表示、５０５…画面分割表示数表示、
７０１…４分割の分割画面表示、８０１…９分割の分割画面表示
９０１…ユーザ登録削除選択表示、１００１…表示カメラＣＨ選択表示、
１００２…再生開始時刻表示
【図１】
2008017080.tif 000003
【図２】
2008017080.tif 000004
【図３】
2008017080.tif 000005
【図４】
2008017080.tif 000006
【図５】
2008017080.tif 000007
【図６】
2008017080.tif 000008
【図７】
2008017080.tif 000009
【図８】
2008017080.tif 000010
【図９】
2008017080.tif 000011
【図１０】
2008017080.tif 000012
【図１１】
2008017080.tif 000013